(57)【要約】【課題】通信線の増設及び移設に容易且つ迅速に対応できると共に、通信線を整然と架設することができる通信線共架装置を提供すること。【解決手段】通信線共架装置１０は、電柱５に略水平方向に取り付けられる上部アーム１１と、上部アーム１１の下方に所定間隔を空けて配置され、且つ、上部アーム１１と略平行となるように電柱５に取り付けられる下部アーム１２と、通信線６を係止する通信線係止部１４が複数固定され、両端部を上部アーム及１１及び下部アーム１２に連結されるアーム用連結部材１５と、基端部を上部アーム１１の先端部に着脱自在に延設される上部延長アーム２１と、基端部を下部アーム１２の先端部に着脱自在に延設される下部延長アーム２２と、通信線係止部１４が複数固定され、両端部を上部延長アーム２１及び下部延長アーム２２に着脱自在に連結される延長アーム用連結部材２５と、を備える。【選択図】図１
2010193637.tif 000002
【特許請求の範囲】
【請求項１】
電柱に複数の通信線を共架する通信線共架装置であって、
前記電柱に略水平方向に取り付けられる上部アームと、
前記上部アームの下方に所定間隔を空けて配置され、且つ、当該上部アームと略平行となるように前記電柱に取り付けられる下部アームと、
前記通信線を係止する通信線係止部が複数固定され、両端部を前記上部アーム及び前記下部アームに連結されるアーム用連結部材と、
基端部を前記上部アームの先端部に着脱自在に延設される上部延長アームと、
基端部を前記下部アームの先端部に着脱自在に延設される下部延長アームと、
前記通信線係止部が複数固定され、両端部を前記上部延長アーム及び前記下部延長アームに着脱自在に連結される延長アーム用連結部材と、
を備えることを特徴とする通信線共架装置。
【請求項２】
前記上部延長アームの基端部は、前記上部アームに延設された前記上部延長アームの先端部に着脱自在に延設され、
前記下部延長アームの基端部は、前記下部アームに延設された前記下部延長アームの先端部に着脱自在に延設されることを特徴とする請求項１に記載の通信線共架装置。
【請求項３】
一端を前記電柱に取り付けられると共に他端を前記下部延長アームに取り付けられる支持フレームを備えることを特徴とする請求項１又は２に記載の通信線共架装置。
【請求項４】
前記延長アーム用連結部材は、隣接する前記アーム用連結部材又は前記延長アーム用連結部材と補強フレームによって連結されることを特徴とする請求項１から３のいずれかに記載の通信線共架装置。
【請求項５】
前記通信線係止部は、前記アーム用連結部材及び前記延長アーム用連結部材に対して着脱自在に設けられることを特徴とする請求項１から４のいずれかに記載の通信線共架装置。
【発明の詳細な説明】
【技術分野】
【０００１】
本発明は、電柱に通信線を共架するために電柱に取り付けられる通信線共架装置に関する。
【背景技術】
【０００２】
従来、電柱に新規に通信線を架設する場合、電柱から略水平に突設した通信線用共架金物に対して、通信線の種類や通信業者毎に通信線を架設していた。このような従来の通信線用共架金物として、例えば、電柱の外周をボルト等で締め付けるバンド体により電柱に水平に取り付けられ、先端側にケーブル支持部材を装着するアーム部（腕金）を備えたものが提供されている（例えば、特許文献１参照）。
【先行技術文献】
【特許文献】
【０００３】
【特許文献１】実用新案登録第３０９２８６０号公報
【発明の概要】
【発明が解決しようとする課題】
【０００４】
しかしながら、上記従来技術にあっては、単独の腕金によって電柱に取り付ける方式が主流である。このため、インフラ整備により電柱に共架される通信線が増大し、既設の通信線用共架金物によって共架箇所・共架ポイントの確保ができない場合には、電柱に新たな通信線用共架金物を増設する必要がある。このため、増設が無計画になされると、電柱に設置された通信線用共架金物の数が益々増加してしまい、昇降柱や柱上での作業に支障を来たす虞があった。
【０００５】
また、上記従来技術にあっては、既設通信線が多数共架されている状態では、離隔を確保しつつ新たな共架場所を選定することが困難であるため、装柱変更工事や電柱建て替え工事等によって対応しなければならず、手間とコストを要していた。
【０００６】
また、新規共架者の申込みにより、共架金物を設置して既設の共架者を移設させる必要が生じた場合には、既設共架者の移設工事等との調整等が必要となり、全体の工期に時間を要していた。
【０００７】
また、上記従来の通信線用共架金物によって、通信線が上下方向及び水平方向へと次第に増設されていくと、通信線と所有者の対応関係が分かりにくくなると共に、共架台帳との照合もしにくくなっていた。
【０００８】
更に、上記従来技術にあっては、共架している通信線の施設方法が様々であり、統一性がないため、景観上も見苦しかった。
【０００９】
したがって、通信線の増設及び移設に容易且つ迅速に対応できると共に、通信線を整然と架設することができる手段の提供が望まれていた。
【００１０】
本発明は、上記に鑑みてなされたものであって、通信線の増設及び移設に容易且つ迅速に対応できると共に、通信線を整然と架設することができる通信線共架装置を提供することを目的とする。
【課題を解決するための手段】
【００１１】
上記目的を達成するため、本発明は、以下のような通信線共架装置を提供する。
【００１２】
（１）  電柱に複数の通信線を共架する通信線共架装置であって、前記電柱に略水平方向に取り付けられる上部アームと、前記上部アームの下方に所定間隔を空けて配置され、且つ、当該上部アームと略平行となるように前記電柱に取り付けられる下部アームと、前記通信線を係止する通信線係止部が複数固定され、両端部を前記上部アーム及び前記下部アームに連結されるアーム用連結部材と、基端部を前記上部アームの先端部に着脱自在に延設される上部延長アームと、基端部を前記下部アームの先端部に着脱自在に延設される下部延長アームと、前記通信線係止部が複数固定され、両端部を前記上部延長アーム及び前記下部延長アームに着脱自在に連結される延長アーム用連結部材と、を備えることを特徴とする。
【００１３】
（１）の発明によれば、上部延長アームと下部延長アームと延長アーム用連結部材とを容易に増設できるので、通信線の増設に容易且つ迅速に対応できる。また、上部延長アーム等の一部の部材を取り外すことにより、通信線の移設にも容易且つ迅速に対応できる。更に、上部延長アームと下部延長アームと延長アーム用連結部材を必要に応じて容易に増設できるので、計画的に共架することができ、通信線を整然と架設することができる。
【００１４】
（２）  （１）の発明においては、前記上部延長アームの基端部は、前記上部アームに延設された前記上部延長アームの先端部に着脱自在に延設され、前記下部延長アームの基端部は、前記下部アームに延設された前記下部延長アームの先端部に着脱自在に延設されることが好ましい。
【００１５】
（２）の発明によれば、上部延長アーム及び下部延長アームの増設又は取り外しを容易に行うことができる。
【００１６】
（３）  （１）又は（２）に記載の発明においては、一端を前記電柱に取り付けられると共に他端を前記下部延長アームに取り付けられる支持フレームを備えることが好ましい。
【００１７】
（３）の発明によれば、下部延長アームが下方に撓むのを抑制することができ、装置全体の剛性を向上させることができる。
【００１８】
（４）  （１）から（３）に記載の発明においては、前記延長アーム用連結部材は、隣接する前記アーム用連結部材又は前記延長アーム用連結部材と補強フレームによって連結されることが好ましい。
【００１９】
（４）の発明によれば、隣接する延長アーム用連結部材同士の間隔を保持できると共に、延長アーム用連結部材とアーム用連結部材との間隔を保持できるので、装置全体の剛性を向上させることができる。
【００２０】
（５）  （１）から（４）のいずれか一つに記載の発明においては、前記通信線係止部は、前記アーム用連結部材及び前記延長アーム用連結部材に対して着脱自在に設けられることが好ましい。
【００２１】
（５）の発明によれば、アーム用連結部材及び延長アーム用連結部材に対して通信線係止部を必要数だけ無駄なく設けることができる。また、既設の通信線係止部を新規なものに容易に交換することができる。
【発明の効果】
【００２２】
本発明によれば、通信線の増設及び移設に容易且つ迅速に対応できると共に、通信線を整然と架設することができる。
【図面の簡単な説明】
【００２３】
【図１】本発明の実施形態に係る通信線共架装置を示す組立斜視図である。
【図２】通信線共架装置を示す斜視図である。
【図３】通信線共架装置を示す側面図である。
【図４】通信線共架装置を示す正面図である。
【図５】通信線共架装置が増設されていく過程を示す側面図である。
【図６】通信線共架装置が増設されていく過程を示す側面図である。
【図７】通信線共架装置が増設されていく過程を示す側面図である。
【図８】通信線共架装置が増設されていく過程を示す側面図である。
【図９】既設通信線を新規通信線と張り替える方法を示す側面図である。
【図１０】既設通信線を新規通信線と張り替える方法を示す側面図である。
【図１１】既設通信線を新規通信線と張り替える方法を示す側面図である。
【図１２】既設通信線を新規通信線と張り替える方法を示す側面図である。
【図１３】既設通信線を新規通信線と張り替える他の方法を示す側面図である。
【図１４】既設通信線を新規通信線と張り替える他の方法を示す側面図である。
【図１５】既設通信線を新規通信線と張り替える他の方法を示す側面図である。
【図１６】既設通信線を新規通信線と張り替える他の方法を示す側面図である。
【発明を実施するための形態】
【００２４】
以下に、本発明の実施形態を図面に基づいて詳細に説明する。なお、この実施形態により本発明が限定されるものではない。
【００２５】
図１は、本発明の実施形態に係る通信線共架装置を示す組立斜視図、図２は、通信線共架装置を示す斜視図、図３は、通信線共架装置を示す側面図である。なお、図３においては、通信線共架装置に通信線を架設した状態を示してあり、説明の便宜上、各通信線には通し番号を付してある。図４は、通信線共架装置を示す正面図である。
【００２６】
＜通信線共架装置全体の説明＞
図１〜図４に示すように、通信線共架装置１０は、電柱５に複数の通信線６を共架するためのものである。通信線６とは、例えば、光ファイバケーブルや同軸ケーブル等の通信線をいうが、共架可能な通信線であれば、その種類は問わない。
【００２７】
通信線共架装置１０は、上部アーム１１と、下部アーム１２と、通信線６を係止する通信線係止部１４が複数固定されたアーム用連結部材１５と、基端部を上部アーム１１の先端部に着脱自在に延設される上部延長アーム２１と、基端部を下部アーム１２の先端部に着脱自在に延設される下部延長アーム２２と、通信線係止部１４が複数固定され、両端部を上部延長アーム２１及び下部延長アーム２２に着脱自在に連結される延長アーム用連結部材２５と、を備える。
【００２８】
＜上部アームの説明＞
図１〜図４に示すように、上部アーム１１は、一対の固定体１３，１３によって電柱５に略水平方向に取り付けられる。上部アーム１１は、金属（例えば、鉄）製の矩形パイプからなる。なお、上部アーム１１は、所定の強度（剛性）を確保できれば、金属以外の材質、例えば、ガラス繊維やカーボン繊維等で強化されたプラスチックス等であってもよい。
【００２９】
上部アーム１１の基端部付近（電柱５側の端部付近）には、後述するボルト１３ｂを挿通する取付穴（図示せず）が設けられている。上部アーム１１の基端部は、電柱５に装着された固定体１３，１３の連結片１３ａ，１３ａに挟持され、ボルト１３ｂ及びナット（図示せず）により共締めされることによって電柱５に取り付けられる。
【００３０】
なお、固定体１３は、電柱５の外形に合致するように半円状に湾曲形成された帯板であり、一対の連結片１３ａ，１３ａを有している。連結片１３ａには、ボルト１３ｂを挿通する取付穴（図示せず）が設けられている。
【００３１】
上部アーム１１の先端部付近には、後述するボルト２８を挿通する取付穴（図示せず）が設けられている。上部アーム１１の先端部には、後述する上部延長アーム２１の連結部２３が係合され、後述するボルト２８及びナット２９によって固定される。
【００３２】
また、上部アーム１１の先端部には、エンドキャップ３７を取り付けることもできる。すなわち、上記ボルト２８を挿通する取付穴（図示せず）には、ボルト３８を挿通することもできる。この挿通されたボルト３８には、ナット３９が螺合される。
【００３３】
上部アーム１１の略中央部の両側面には、アーム用連結部材１５の上端部を挟持するための一対の連結板１６，１６が固定されている。連結板１６は、アーム用連結部材１５と略同一幅の矩形状に形成され、連結板１６の略半分は、上部アーム１１の底面よりも下方に突出している。連結板１６には、ボルト１８を挿通する取付穴１６ａ（図１参照）が設けられている。
【００３４】
また、図３に示すように、連結板１６の表面には、通信線６の共架位置を特定するための共架番号表示部１６ｂが設けられている。例えば、共架番号表示部１６ｂにより「Ａ」と表示することで、アーム用連結部材１５に共架される４本の通信線６が「Ａ」のグループに属しているものと把握することができる。なお、これら４本の通信線６は、後述するように、アーム用連結部材１５の共架番号表示部１５ｃによって共架位置を表示される。
【００３５】
＜下部アームの説明＞
図１〜図４に示すように、下部アーム１２は、上部アーム１１の下方に所定間隔を空けて配置され、且つ、上部アーム１１と略平行となるように一対の固定体１３，１３によって電柱５に略水平方向に取り付けられる。下部アーム１２は、上部アーム１１と同一寸法及び同材質の矩形パイプからなる。
【００３６】
下部アーム１２の基端部付近（電柱５側の端部付近）には、ボルト１３ｂを挿通する取付穴（図示せず）が設けられている。下部アーム１２の基端部は、電柱５に装着された固定体１３，１３の連結片１３ａ，１３ａに挟持され、ボルト１３ｂ及びナット（図示せず）により共締めされることによって電柱５に取り付けられる。
【００３７】
また、下部アーム１２の先端部付近には、ボルト２８を挿通する取付穴（図示せず）が設けられている。下部アーム１２の先端部には、後述する下部延長アーム２２の連結部２４が係合され、ボルト２８及びナット２９によって固定される。
【００３８】
また、下部アーム１２の先端部には、エンドキャップ３７を取り付けることもできる。すなわち、上記ボルト２８を挿通する取付穴（図示せず）には、ボルト３８を挿通することもできる。この挿通されたボルト３８には、ナット３９が螺合される。
【００３９】
また、下部アーム１２の略中央部の両側面には、アーム用連結部材１５の下端部を挟持するための一対の連結板１７，１７が固定されている。連結板１７は、アーム用連結部材１５と略同一幅の矩形状に形成され、連結板１７の略半分は、下部アーム１２の上面よりも上方に突出している。また、連結板１７は、ボルト１８を挿通する取付穴１７ａ（図１参照）が設けられている。
【００４０】
＜アーム用連結部材の説明＞
図１〜図３に示すように、アーム用連結部材１５は、両端部を上部アーム１１及び下部アーム１２の連結板１６，１６，１７，１７に連結されている。アーム用連結部材１５の長さは、上部アーム１１及び下部アーム１２の間隔と略等しく、上部アーム１１及び下部アーム１２の間に立設されることによって、上部アーム１１及び下部アーム１２の間隔を保持する。
【００４１】
アーム用連結部材１５は、上部アーム１１及び下部アーム１２と同一外径の金属（例えば、鉄）製の矩形パイプからなる。なお、アーム用連結部材１５は、所定の強度（剛性）を確保できれば、金属以外の材質、例えば、ガラス繊維やカーボン繊維等で強化されたプラスチックス等であってもよい。
【００４２】
アーム用連結部材１５の上端部付近には、ボルト１８を挿通する取付穴（図示せず）が設けられている。アーム用連結部材１５の上端部は、上部アーム１１の連結板１６，１６に挟持され、ボルト１８及びナット（図示せず）により共締めされることによって上部アーム１１と連結される。
【００４３】
アーム用連結部材１５の下端部付近には、ボルト１８を挿通する取付穴（図示せず）が設けられている。アーム用連結部材１５の下端部は、下部アーム１２のボルト１８，１８に挟持され、ボルト１８及びナット（図示せず）により共締めされることによって下部アーム１２と連結される。
【００４４】
アーム用連結部材１５の両側面には、後述する補強フレーム３５の一端をボルト３５ｂによって固定するための取付穴１５ａが所定ピッチで例えば４つ設けられている。
【００４５】
また、図３に示すように、アーム用連結部材１５の両側面であって、後述する４つの固定部２０（４つの通信線係止部１４）に対応する位置には、通信線６の共架位置を特定するための共架番号表示部１５ｃがそれぞれ設けられている。
【００４６】
共架番号表示部１５ｃは、例えば、上から順に「１」、「２」、「３」及び「４」と表示されている。上述したように、アーム用連結部材１５に共架される４本の通信線６は「Ａ」のグループに属しているので、共架位置を上から順に「Ａ−１」、「Ａ−２」、「Ａ−３」及び「Ａ−４」と特定することができる。
【００４７】
アーム用連結部材１５の前面（正面）には、通信線係止部１４を着脱自在に固定するための固定部２０が所定ピッチ（例えば、３０ｃｍ）で４つ設けられている。なお、固定部２０の配設数は、共架する通信線６の本数に応じて予め増減可能である。
【００４８】
固定部２０は、図１に示すように、通信線係止部１４を係止可能な矩形枠として形成されている。固定部２０の両側面には、ボルト２０ｂを挿通するための取付穴２０ａ，２０ａが設けられている。通信線係止部１４には、ボルト２０ｂを挿通する取付穴１４ａが設けられている。すなわち、通信線係止部１４は、固定部２０に係止された状態でボルト２０ｂとナット２０ｃとによって固定部２０に固定される。
【００４９】
＜上部延長アームの説明＞
図１〜図３に示すように、上部延長アーム２１は、基端部を上部アーム１１の先端部に着脱自在に延設される。上部延長アーム２１は、上部アーム１１と同一外径及び同一材質の矩形パイプからなる。
【００５０】
上部延長アーム２１の基端部（電柱５側の端部）には、上部アーム１１の先端部と連結するための連結部２３が固定されている。すなわち、連結部２３は、上部アーム１１の先端部を係合可能な内径を有する矩形パイプとして形成され、上部延長アーム２１の基端部に溶接等により固定されている。
【００５１】
連結部２３には、ボルト２８を挿通する取付穴２３ａが設けられている。また、上部延長アーム２１の先端部付近には、ボルト２８を挿通する取付穴２１ａ，２１ａが設けられている。
【００５２】
上部延長アーム２１の連結部２３は、上部アーム１１の先端部に係合され、ボルト２８及びナット２９により締結される。このようにして、上部延長アーム２１が上部アーム１１の先端部に延設される。
【００５３】
上部延長アーム２１は、上部アーム１１と同一外径に形成されているので、上部延長アーム２１の先端部に他の上部延長アーム２１の連結部２３を係合することもできる。これにより、上部アーム１１に延設された上部延長アーム２１に対して、他の上部延長アーム２１を延設することができ（図１〜図３及び図７参照）、当該上部延長アーム２１に延設された上部延長アーム２１に対して、更に他の上部延長アーム２１を順次延設することができる（図８参照）。
【００５４】
また、上部延長アーム２１の両側面には、延長アーム用連結部材２５の上端部を挟持するための一対の連結板２６，２６が固定されている。連結板２６は、延長アーム用連結部材２５と略同一幅の矩形状に形成され、連結板２６の略半分は、上部延長アーム２１の底面よりも下方に突出している。
【００５５】
連結板２６には、ボルト１８を挿通する取付穴２６ａ（図１参照）が設けられている。連結板２６は、上記連結板１６と同一寸法に形成されている。
【００５６】
また、連結板２６の表面には、図３に示すように、通信線６の共架位置を特定するための共架番号表示部２６ｂが設けられている。例えば、共架番号表示部２６ｂにより、電柱５に近いものから順に「Ｂ」、「Ｃ」・・・とアルファベット順に表示することで、延長アーム用連結部材２５に共架される４本の通信線６が「Ｂ」、「Ｃ」・・・のグループに属しているものと把握することができる。
【００５７】
なお、これら４本の通信線６は、後述するように、延長アーム用連結部材２５の共架番号表示部２５ｄによって共架位置を表示される。
【００５８】
＜下部延長アームの説明＞
図１〜図３に示すように、下部延長アーム２２は、基端部を下部アーム１２の先端部に着脱自在に延設される。下部延長アーム２２は、下部アーム１２と同一外径及び同一材質の矩形パイプからなる。
【００５９】
下部延長アーム２２の基端部（電柱５側の端部）には、下部アーム１２の先端部と連結するための連結部２４が固定されている。すなわち、連結部２４は、下部アーム１２の先端部を係合可能な内径を有する矩形パイプとして形成され、下部延長アーム２２の基端部に溶接等により固定されている。
【００６０】
連結部２４には、ボルト２８を挿通する取付穴２４ａが設けられている。また、下部延長アーム２２の先端部付近には、ボルト２８を挿通する取付穴２２ａ，２２ａが設けられている。
【００６１】
下部延長アーム２２の連結部２４は、下部アーム１２の先端部に係合され、ボルト２８及びナット２９により締結される。このようにして、下部延長アーム２２が下部アーム１２の先端部に延設される。
【００６２】
下部延長アーム２２は、下部アーム１２と同一外径に形成されているので、下部延長アーム２２の先端部に他の下部延長アーム２２の連結部２４を係合することもできる。これにより、下部アーム１２に延設された下部延長アーム２２に対して、他の下部延長アーム２２を延設することができ（図１〜図３及び図７参照）、当該下部延長アーム２２に延設された下部延長アーム２２に対して、更に他の下部延長アーム２２を順次延設することができる（図８参照）。
【００６３】
また、下部延長アーム２２の両側面には、延長アーム用連結部材２５の下端部を挟持するための一対の連結板２７，２７が固定されている。連結板２７は、延長アーム用連結部材２５と略同一幅の矩形状に形成され、連結板２７の略半分は、下部延長アーム２２の上面よりも上方に突出している。
【００６４】
連結板２７には、ボルト１８を挿通する取付穴２７ａ（図１参照）が設けられている。連結板２７は、上記連結板１７と同一寸法に形成されている。
【００６５】
また、下部延長アーム２２の先端部付近の底面には、支持フレーム３０を挟持して連結するための一対の連結片３１，３１が所定間隔を空けて下向きに突設されている。連結片３１には、ボルト３８を挿通するための取付穴３１ａが設けられている。
【００６６】
すなわち、支持フレーム３０の上端部は、連結片３１，３１により挟持され、ボルト３２及びナット３３（図４参照）によって共締めされることによって下部延長アーム２２と連結される。
【００６７】
支持フレーム３０の下端部は、固定体１３の一対の連結片１３ａ，１３ａによって挟持され、ボルト１３ｂ及びナット１３ｃ（図４参照）によって共締めされることによって電柱５に固定される。
【００６８】
このように、通信線共架装置１０は、支持フレーム３０によって下方から支持されるように構成されている。なお、後述する図７及び図８に示すように、共架数等に応じて、支持フレーム３０と同様にして、支持フレーム４０を設けて支持してもよい。
【００６９】
＜延長アーム用連結部材の説明＞
図１〜図３に示すように、延長アーム用連結部材２５は、両端部を上部延長アーム２１及び下部延長アーム２２の連結板２６，２６，２７，２７に連結されている。延長アーム用連結部材２５の長さは、上部延長アーム２１及び下部延長アーム２２の間隔と略等しく、上部延長アーム２１及び下部延長アーム２２の間に立設されることによって、上部延長アーム２１及び下部延長アーム２２の間隔を保持する。
【００７０】
延長アーム用連結部材２５は、上部延長アーム２１及び下部延長アーム２２と同一外径の金属（例えば、鉄）製の矩形パイプからなる。なお、延長アーム用連結部材２５は、所定の強度（剛性）を確保できれば、金属以外の材質、例えば、ガラス繊維やカーボン繊維等で強化されたプラスチックス等であってもよい。
【００７１】
延長アーム用連結部材２５の上端部付近には、ボルト１８を挿通する取付穴２５ａが設けられている。延長アーム用連結部材２５の上端部は、上部延長アーム２１の連結板２６，２６に挟持され、ボルト１８及びナット１９により共締めされることによって上部延長アーム２１と連結される。
【００７２】
延長アーム用連結部材２５の下端部付近には、ボルト１８を挿通する取付穴２５ｃが設けられている。延長アーム用連結部材２５の下端部は、下部延長アーム２２の連結板２７，２７に挟持され、ボルト１８及びナット１９により共締めされることによって下部延長アーム２２と連結される。
【００７３】
延長アーム用連結部材２５の両側面には、後述する補強フレーム３５の一端をボルト３５ｂによって固定するための取付穴２５ｂが所定ピッチで例えば４つ設けられている。
【００７４】
また、図３に示すように、延長アーム用連結部材２５の両側面であって、４つの固定部２０（４つの通信線係止部１４）に対応する位置には、通信線６の共架位置を特定するための共架番号表示部２５ｄがそれぞれ設けられている。共架番号表示部２５ｄは、例えば、上から順に「１」、「２」、「３」及び「４」と表示されている。
【００７５】
したがって、延長アーム用連結部材２５に共架される４本の通信線６が「Ｂ」のグループに属しているならば、共架位置を上から順に「Ｂ−１」、「Ｂ−２」、「Ｂ−３」及び「Ｂ−４」と特定することができる。
【００７６】
また、延長アーム用連結部材２５に共架される４本の通信線６が「Ｃ」のグループに属しているならば、共架位置を上から順に「Ｃ−１」、「Ｃ−２」、「Ｃ−３」及び「Ｃ−４」と特定することができる。
【００７７】
延長アーム用連結部材２５の前面（正面）には、通信線係止部１４を着脱自在に固定するための固定部２０が所定ピッチ（例えば、３０ｃｍ）で４つ設けられている。なお、固定部２０の配設数は、共架する通信線６の本数に応じて予め増減可能である。
【００７８】
＜エンドキャップの説明＞
エンドキャップ３７は、上部アーム１１、下部アーム１２の先端部又は上部延長アーム２１、下部延長アーム２２の先端部をカバーするために、当該上部アーム１１等の先端部に固定される。
【００７９】
エンドキャップ３７は、有底箱状に形成されている。エンドキャップ３７の開口部は、上記上部アーム１１等の先端部が係合可能な内径を有している。エンドキャップ３７の両側面には、ボルト３８を挿通するための取付穴３７ａが設けられている。この挿通されたボルト３８には、ナット３９が螺合される。
【００８０】
＜補強フレームの説明＞
補強フレーム３５は、隣接する延長アーム用連結部材２５，２５同士、又は延長アーム用連結部材２５とアーム用連結部材１５とを連結して補強する部材である。補強フレーム３５の両端部には、ボルト３５ｂを挿通するための取付穴３５ａが設けられている。
【００８１】
これらのボルト３５ｂは、延長アーム用連結部材２５又はアーム用連結部材１５の適宜位置の取付穴２５ｂ，１５ａに挿通され、ナット３５ｃにより螺合される。これにより、補強フレーム３５が延長アーム用連結部材２５又はアーム用連結部材１５に固定される。
【００８２】
＜通信線共架装置を増設する作業手順の説明＞
次に、通信線共架装置１０を増設する作業手順について図５〜図８を参照して説明する。ここで、図５〜図８は、通信線共架装置１０が増設されていく過程を示す側面図である。
【００８３】
図５に示すように、共架する通信線６が４本以下の場合（図５では４本の場合を示す）には、最小単位の構成である上部アーム１１、下部アーム１２及びアーム用連結部材１５からなる通信線共架装置１０によって共架することができる。上部アーム１１及び下部アーム１２の先端部には、エンドキャップ３７が装着される。
【００８４】
上述したように、アーム用連結部材１５に共架される４本の通信線６は「Ａ」のグループに属しているので、共架位置を上から順に「Ａ−１」、「Ａ−２」、「Ａ−３」及び「Ａ−４」と特定することができる。したがって、通信線６を整然と架設することができる。
【００８５】
次に、図６に示すように、共架する通信線６が５本以上８本以下に増える場合（図６では８本の場合を示す）には、図５に示した状態から、上部アーム１１及び下部アーム１２の先端部のエンドキャップ３７を取り外して上部延長アーム２１及び下部延長アーム２２を延設し、更にこれらを延長アーム用連結部材２５によって連結する。
【００８６】
また、延長アーム用連結部材２５とアーム用連結部材１５とを補強フレーム３５で連結して補強する。更に、下部延長アーム２２を支持フレーム３０によって支持する。上部延長アーム２１及び下部延長アーム２２の先端部には、エンドキャップ３７が装着される。
【００８７】
上述したように、増設された延長アーム用連結部材２５に共架される４本の通信線６は「Ｂ」のグループに属しているので、共架位置を上から順に「Ｂ−１」、「Ｂ−２」、「Ｂ−３」及び「Ｂ−４」と特定することができる。したがって、通信線６を整然と架設することができる。
【００８８】
次に、図７に示すように、共架する通信線６が６本以上１２本以下に増える場合（図７では１２本の場合を示す）には、図６に示した状態から、上部延長アーム２１及び下部延長アーム２２の先端部のエンドキャップ３７を取り外して上部延長アーム２１及び下部延長アーム２２を延設し、更にこれらを延長アーム用連結部材２５によって連結する。
【００８９】
また、隣接する延長アーム用連結部材２５，２５同士及び延長アーム用連結部材２５とアーム用連結部材１５とを、補強フレーム３５で連結して補強する。更に、下部延長アーム２２を支持フレーム４０によって支持する。延設された上部延長アーム２１及び下部延長アーム２２の先端部には、エンドキャップ３７が装着される。
【００９０】
上述したように、増設された延長アーム用連結部材２５に共架される４本の通信線６は「Ｃ」のグループに属しているので、共架位置を上から順に「Ｃ−１」、「Ｃ−２」、「Ｃ−３」及び「Ｃ−４」と特定することができる。したがって、通信線６を整然と架設することができる。
【００９１】
また、図８に示すように、通信線６を電柱５から所定距離以上に離隔して架設したい場合には、アーム用連結部材１５に通信線６を仮設しないようにすることもできる。すなわち、例えば、上下一組の上部アーム１１及び下部アーム１２に対して、上下一組の上部延長アーム２１、下部延長アーム２２を３つ（３段）増設する。
【００９２】
また、このうち２段目と３段目に設けた上部延長アーム２１、下部延長アーム２２にそれぞれ延長アーム用連結部材２５を設け、当該延長アーム用連結部材２５に通信線６を共架する。１段目に設けた上部延長アーム２１の連結板２６と下部延長アーム２２の連結板２７には、延長アーム用連結部材２５を連結しない。
【００９３】
通信線共架装置１０をこのように構成することで、アーム用連結部材１５と延長アーム用連結部材２５との間に所定のスペースを確保でき、通信線６を電柱５から所定距離以上に離隔して架設することができる。すなわち、上部延長アーム２１及び下部延長アーム２２をいわゆる突き出し金物として機能させることができる。
【００９４】
また、上記所定のスペースは、昇降柱用のスペースとしても利用することができる。更に、１段目に設けた上部延長アーム２１の連結板２６と下部延長アーム２２の連結板２７には、延長アーム用連結部材２５を連結していないので、通信線共架装置１０の部品点数を低減することができる。
【００９５】
＜既設通信線を新規通信線と張り替える方法の説明＞
次に、既設通信線を新規通信線と張り替える方法について、図９〜図１２を参照して説明する。この方法は、上部延長アーム２１を取り外して作業空間を確保している。
【００９６】
ここで、図９〜図１２は、既設通信線６ａを新規通信線６ｂと張り替える方法を示す側面図であり、上部延長アーム２１及び下部延長アーム２２が１段増設されている場合を例にして示している。
【００９７】
また、説明の便宜上、「Ａ−１」に架設されている既設通信線６ａを新規通信線６ｂと張り替える場合について説明する。なお、張り替え対象外の既設の通信線６は、図示を省略してある。
【００９８】
先ず、図９に示すように、新規通信線６ｂを連結部２３或いは上部アーム１１の上部に載置する。
【００９９】
次に、図１０に示すように、既設通信線６ａの直下近傍の取付穴１５ａ，２５ｂ（図９参照）に、補強フレーム３５をボルト３５ｂ及びナット（図示せず）によって固定する。そして、既設通信線６ａを通信線係止部１４から取り外し、補強フレーム３５上に載置する。
【０１００】
次に、図１１に示すように、ボルト１８，２８（図１０参照）を取り外すことによって、上部延長アーム２１を上部アーム１１及び延長アーム用連結部材２５から取り外し、新規通信線６ｂを通信線係止部１４に取り付ける。また、補強フレーム３５上に載置されていた既設通信線６ａを上部アーム１１上に移動し、載置する。
【０１０１】
そして、図１２に示すように、取り外されていた上部延長アーム２１を元の位置に固定すると共に、上述した補強フレーム３５を取り外せば、既設通信線６ａと新規通信線６ｂの張り替え作業が完了する。
【０１０２】
このように、補強フレーム３５を一時的に設けたことにより、取り外された既設通信線６ａを補強フレーム３５によって支持できるので、他の作業員が当該既設通信線６ａを支持する必要がなく、少ない人員で効率的に作業を行うことができる。
【０１０３】
また、補強フレーム３５は、上部延長アーム２１を取り外した際の一時的な補強材としても機能する。
【０１０４】
＜既設通信線を新規通信線と張り替える他の方法の説明＞
次に、既設通信線を新規通信線と張り替える他の方法について、図１３〜図１６を参照して説明する。
【０１０５】
この方法は、延長アーム用連結部材２５の上端部の上部延長アーム２１との固定を一時的に解除し、延長アーム用連結部材２５を傾斜させることにより作業空間を確保している。ここで、図１３〜図１６は、既設通信線６ａを新規通信線６ｂと張り替える他の方法を示す側面図である。
【０１０６】
先ず、図１３に示すように、新規通信線６ｂを上部延長アーム２１の上部に載置する。次に、図１４に示すように、予めシメラー（張線器）４５のワイヤー４６等を用いることによって、延長アーム用連結部材２５を電柱５に連結しておく。
【０１０７】
そして、延長アーム用連結部材２５上端部のボルト１８（図１３参照）と補強フレーム３５先端（左端）のボルト３５ｂ（図１３参照）を取り外すと共に、延長アーム用連結部材２５下端部のボルト１８（図１３参照）を緩める。
【０１０８】
続いて、シメラー４５によってワイヤー４６の張力を調節しながら、延長アーム用連結部材２５の上端部が電柱５から遠ざかる方向に所定量傾斜させる。
【０１０９】
これにより、上部延長アーム２１の先端部と延長アーム用連結部材２５の上端部との間に、既設通信線６ａ及び新規通信線６ｂを入れ替えるためのスペースを確保する。
【０１１０】
次に、図１５に示すように、既設通信線６ａを通信線係止部１４から取り外し、上部延長アーム２１上に載置する。また、上部延長アーム２１上に載置されていた新規通信線６ｂを通信線係止部１４に取り付ける。
【０１１１】
そして、図１６に示すように、シメラー４５によってワイヤー４６の張力を調節しながら延長アーム用連結部材２５の傾斜量を少なくしていき、延長アーム用連結部材２５を元の位置に戻す。
【０１１２】
次に、取り外した延長アーム用連結部材２５を元の位置にボルト１８で固定すると共に、ボルト３５ｂで補強フレーム３５先端（左端）を延長アーム用連結部材２５に取り付ければ、既設通信線６ａと新規通信線６ｂの張り替え作業が完了する。なお、ワイヤー４６は、作業完了後に取り外す。
【０１１３】
このように、シメラー４５等を用いることによって延長アーム用連結部材２５を一時的に傾斜させることにより、既設通信線６ａを新規通信線６ｂと容易に張り替えることができるので、少ない人員で効率的に作業を行うことができる。
【０１１４】
以上のように、この実施形態に係る通信線共架装置１０によれば、ボルト２８，１８等を用いて固定しているので、上部延長アーム２１、下部延長アーム２２及び延長アーム用連結部材２５等の取り付け及び取り外しが容易であり、通信線６の増設及び移設に容易且つ迅速に対応できる。したがって、装柱変更工事や電柱建て替え工事等によって対応しなくて済む。
【０１１５】
また、通信線６の共架位置を特定して整然と架設することができるので、通信線６の所有者の判別が行い易くなる。更に、台帳との整合性が高まり、設備の維持管理が容易となる。すなわち、指定外の位置に通信線６が架設されていれば、無断共架として容易に判別することができる。また、統一した架設仕様となるため、景観上も見栄えがよくなる。
【０１１６】
また、通信線共架装置１０は、支持フレーム３０，４０を備えているので、下部延長アーム２２が下方に撓むのを抑制することができ、装置全体の剛性を向上させることができる。
【０１１７】
また、通信線共架装置１０は、補強フレーム３５を備えているので、隣接する延長アーム用連結部材２５，２５同士の間隔を保持できると共に、延長アーム用連結部材２５とアーム用連結部材１５との間隔を保持できる。したがって、装置全体の剛性を向上させることができる。
【０１１８】
また、通信線係止部１４がアーム用連結部材１５及び延長アーム用連結部材２５の固定部２０に対して着脱自在に設けられているので、通信線係止部１４を必要数だけ無駄なく設けることができる。また、既設の通信線係止部１４を新規なものに容易に交換することができる。
【０１１９】
なお、上記実施形態においては、１本のアーム用連結部材１５又は延長アーム用連結部材２５につき、４つの通信線係止部１４を設けるものとして説明したが、これに限定されず、３つ以下或いは５つ以上を設けてもよい。
【符号の説明】
【０１２０】
５  電柱
６  通信線
１０  通信線共架装置
１１  上部アーム
１２  下部アーム
１４  通信線係止部
１５  アーム用連結部材
２１  上部延長アーム
２２  下部延長アーム
２５  延長アーム用連結部材
３０  支持フレーム
３５  補強フレーム
４０  支持フレーム
【図１】
2010193637.tif 000003
【図２】
2010193637.tif 000004
【図３】
2010193637.tif 000005
【図４】
2010193637.tif 000006
【図５】
2010193637.tif 000007
【図６】
2010193637.tif 000008
【図７】
2010193637.tif 000009
【図８】
2010193637.tif 000010
【図９】
2010193637.tif 000011
【図１０】
2010193637.tif 000012
【図１１】
2010193637.tif 000013
【図１２】
2010193637.tif 000014
【図１３】
2010193637.tif 000015
【図１４】
2010193637.tif 000016
【図１５】
2010193637.tif 000017
【図１６】
2010193637.tif 000018